(57)【要約】      （修正有）【課題】携帯電話が手から滑り落ちる事を極力防止する落下防止器具を提供する。【解決手段】液晶表面４に、保護シート１を貼る。この時例えば、ヤモリの足についているような、所謂ヤモリテープ（ヤモリの足の裏）の様な滑らない品物を保護シートと携帯本体の四隅等に添って、貼って使用する事で、携帯電話を手にした時の落下を防止する保護シート１である。【選択図】図２
2017169179.tif 000002
【特許請求の範囲】
【請求項１】
（イ）携帯電話（総称して、スマートフォン）の液晶表面に、保護シートを貼る時に例えば、ヤモリの足についているような、所謂ヤモリテープ（ヤモリの足の裏）の様な滑らない品物を保護シートと携帯本体の四隅等に添って、貼って使用する事で、携帯電話が手からの落下を防止する品物と仕様方法の事である。
（ロ）ヤモリの足についているような、所謂ヤモリテープ（ヤモリの足の裏）の様な滑らない品物を携帯のケース側にも取り入れ携帯電話が手からの落下を防止する品物と仕様方法である。
（ハ）保護シートと携帯本体の四隅等に添って、貼って使用する事で、携帯電話を手にした時の落下を防止するこの落下防止の保護シートは、携帯液晶表面に貼り付けて使用しますが、保護シート内の外側に滑らない、所謂ヤモリテープ（ヤモリの足の裏）の様な滑らない品物を四隅等に添って、表側に設置するが、保護シート内において、所謂ヤモリテープ（ヤモリの足の裏）の様な滑らない品物と液晶画面表面保護シートとの取り合い仕様については、この部分の大きさ、幅、長さ等々又取り合部分の詳細については、例えば重ね合わせるとか、接着させるとか、プレスして同一面上で取り合いするとかの詳細仕様については、限定しない携帯電話が手からの落下を防止する品物と仕様方法のことである。
（ニ）携帯のケースの中に取り入れるヤモリの足についているような、所謂ヤモリテープ（ヤモリの足の裏）の様な滑らない品物を携帯ケースの中に取り入れる仕様については、限定しないとされた携帯電話が手からの落下を防止する品物と仕様方法のことである。又これらの貼り付け範囲、場所と位置、高さ、長さ、大きさ、材質、色彩、厚さ、重量、塗装等の仕様については、限定しないとされた携帯電話が手からの落下を防止する品物と仕様方法のことである。
（ホ）携帯の液晶画面に滑らない保護シートを貼って使用しますが、保護シートと所謂ヤモリテープ（ヤモリの足の裏）の様な滑らない品物について、双方の携帯液晶画面上に占める割合比率又これらの貼り付け範囲、高さ、長さ、大きさ、材質、材質と液晶画面との滑り摩擦係数数値、色彩、厚さ、重量、光沢度、液晶画面の反射面の輝度、塗装等の仕様については、限定しないとされた携帯電話が手からの落下を防止する品物と仕様方法のことである。
（ヘ）滑らない保護シートと所謂ヤモリテープ（ヤモリの足の裏）の様な滑らない品物を携帯の液晶画面に貼り付けして、使用しますが、この貼り付け品物の範囲、仕様・方法等については、限定しないとされた携帯電話が手からの落下を防止する品物と仕様方法のことである。
（ト）携帯電話の液晶表面に、保護シートを貼らないで、直接携帯電話の液晶画面のアプリ等に干渉しない四隅に添って、例えば、ヤモリの足についているような、所謂ヤモリテープ（ヤモリの足の裏）の様な滑らない品物を貼って使用する事で、携帯電話を手にした時の落下を防止する事も出来る滑らない保護シートであるが、この滑らない保護シートの長さ、大きさ、材質、材質と液晶画面との滑り摩擦係数数値、色彩、厚さ、重量、光沢度、液晶画面の反射面の輝度、塗装等の仕様については、限定しないとされた携帯電話が手からの落下を防止する品物と仕様方法のことである。
【発明の詳細な説明】
【技術分野】
【０００１】この発明は、携帯電話を手にした時に、携帯電話が手から滑り落ちて、下に落下して、破損する事を防止する為に、携帯電話が手から滑り落ちる事を極力防止する為につくられた品物であります。
【背景技術】
【０００２】従来の携帯電話落下防止について、保護シート等に付き、各社用途に応じて千差万別数多くありました。
【発明が解決しようとする課題】
【０００３】これは次のような欠点があった。
例えば、既存の保護シート等について、個々の其々の用途に応じては、充分に満たしておりました。例えば、万が一落下して、液晶画面のガラスが破損して、飛散するのを防止するとか又液晶表面に傷がつかないシート、画面に触れても指紋がつきにくくなるシート等、特殊ガラス、高い防傷、対衝撃性能を誇った保護シート等ありますが、近年スマートフォンの普及により、それも携帯自体がパソコン化して来た為に、どうしても以前の携帯と比較して、大きくなって、重さも重くなってきました。しかし手の小さい方特に女性の場合・子供等の手のひらにこの携帯が収まらずに、つい携帯を落としてしまうケースも多々ありました。水仕事等して、手荒れの為クリーム等の塗布又バンドエイト等で手の指等の対策をしてある為に、携帯が尚更落下しやすくなりました。携帯の落下状態、又落下場所によっては、携帯液晶画面のガラスが破損して、携帯電話取り替え等大変な金額と労力を費やしてきました。この事から携帯を落下させない方法として対応し、なされた仕様である。
【課題を解決する為の手段】
【０００４】携帯電話（総称して、スマートフォン）の液晶表面に、保護シートを貼るこの時例えば、ヤモリの足についているような、所謂ヤモリテープ（ヤモリの足の裏）の様な滑らない品物を保護シートと携帯本体の四隅等に添って、貼って使用する事で、携帯電話を手にした時の落下を防止する保護シートである。
又携帯電話の液晶表面に、保護シートを貼らないで、直接携帯電話の液晶画面のアプリ等に干渉しない四隅に添って、例えば、ヤモリの足についているような、所謂ヤモリテープ（ヤモリの足の裏）の様な滑らない品物を貼って使用する事で、携帯電話を手にした時の落下を防止する事も出来る滑らない保護シートである。又ヤモリの足についているような、所謂ヤモリテープ（ヤモリの足の裏）の様な滑らない品物を携帯のケース（単独コンパクト、手帳型、タフネスケース等）側にも取り入れる仕様とする。
【発明の効果】
【０００５】携帯電話の液晶表面に、保護シートと兼用で液晶画面のアプリ等に干渉しない四隅に添って滑らない品物を貼って使用する。あるいは、保護シート無で直接携帯電話の液晶画面のアプリ等に干渉しない四隅に添って、例えば、ヤモリの足についているような、所謂ヤモリテープ（ヤモリの足の裏）の様な滑らない品物を貼って使用する事で、効果がありました。更にヤモリの足についているような、所謂ヤモリテープ（ヤモリの足の裏）の様な滑らない品物を携帯のケース（単独コンパクト、手帳型、タフネスケース等）側にも取り入れる事で、携帯電話を手にした時携帯の表面とケースも手にしっくりとくっついて、フィットして、落下しないで済むようになった。
【発明を実地する為の最良の形態】
【０００６】以下。本発明を実地する為の最良の形態について説明する。
携帯電話の液晶表面に、保護シートと兼用で液晶画面のアプリ等に干渉しない四隅に添って滑らない品物を貼って使用する。又あるいは、保護シート無で直接携帯電話の液晶画面のアプリ等に干渉しない四隅に添って、例えば、ヤモリの足についているような、所謂ヤモリテープ（ヤモリの足の裏）の様な滑らない品物を貼って使用する事。摩擦力の大きな滑らない品物を携帯電話の液晶表面と携帯のケース側両方に取り入れることで、携帯電話が落下しないで済むようになった。これが最良の形態である
【図面の簡単な説明】
【０００７】
【図１】本発明の平面図と立面図、側面図である。
【図２】本発明のあいそめ図である。
【符号の説明】
【０００８】１    保護シート
２    携帯のケース（単独コンパクト、手帳型、タフネスケース等）側
３    所謂ヤモリテープ（ヤモリの足の裏）の様な滑らない品物（保護シート）
４    液晶画面、表面
５    液晶画面のアプリ等に干渉しない四隅に添って
【図１】
2017169179.tif 000003
【図２】
2017169179.tif 000004